(57)【要約】      （修正有）【課題】コスト競争力、従来品の日よけに対していかほどのコスト削減できるか。【解決手段】実用化し、実用本位化して行けば、コスト削減可能。【選択図】図１
0003133090.tif 000002
【実用新案登録請求の範囲】
【請求項１】
内張りの内蔵型
内装内張りの内部に本体全てを収納して、取り引だし部のみに露出、日除け部は使用しない時は、通常内張り内に内蔵収納されている。
収納形態には、日除け平プレート部をそのまま引き入れて、天井内部へスライドさせて収納する、いわゆる平プレート収納内蔵タイプ。平プレートをスライドさせて内蔵するだけのスペース空間がない場合は、スライドさせすに内部で巻き上げて内蔵収納する、ロール巻き取り収納タイプがある。
【請求項２】
いずれのタイプにおいても、日除け材資部に窓ガラスへ向かって反り上げる形状記憶が施されているので、必ず窓ガラスとその底部一辺が密着することになり、安定した任意の防眩効果が得られる、つまり日除けプレート部は、単純にペンディング状態で利用するものではない。
【請求項３】
いずれのタイプも正面ガラスのみならず、フロントサイド・リアサイド、そしてリアガラスそのものへの遮光日除けとして利用できる。
【考案の詳細な説明】
【考案が解決しようとする課題】
従来のサンバイザーは、その構造上サンバイザー本体の一辺のある部分を支点として固定し、それを中心にある一定の範囲内の角度をもって、日よけとしての機能を持っていた為に部分的な日よけとしての限られた機能しかなく、またその形状・材質もほぼ均一的無機質なものであった。
【課題を解決するための手段】
当考案の名称は、サンバイザー（日よけ）ではあるが、多機能なサンバイザーである。まずその特徴を示すと、当考案は天井に沿って天井内収納出来る点で、通常そのものは内蔵され、手取り部を除いて見ることは出来ない。
【考案の効果】
▲１▼不必要な突起物が天井正面つまり運転者頭上に無いことは万一時の安全性向上にも供与できる。
▲２▼運転時通常の日よけとしての用途は持論
仮眠中や駐車中の外光シャッターの遮断を持ち合わせている。
▲３▼当考案は、従来品が一様に長方方の不可透光硬質塩化ビニール材に対し、半透光カラーアクリル等、用途好みにより多種類が可能である。
▲４▼▲１▼の理由により室内空間が広く使え、▲３▼の理由により好みの色、柄の楽しみを当考案品で演出可能。
▲５▼車両製造元においては、日除け部自体のコスト、組立工程コスト等々従来品に比べ大幅なコスト減少になる。
▲６▼第一フロントピラー傾斜のきつい車両でも、充分な頭前部空間が確保しやすく、尚且つ任意の防眩角が容易にできる。
【図１】
0003133090.tif 000003
【図２】
0003133090.tif 000004
【図３】
0003133090.tif 000005
【図４】
0003133090.tif 000006
【図５】
0003133090.tif 000007
【手続補正書】
【提出日】平成18年11月10日(2006.11.10)
【手続補正１】
【補正対象書類名】実用新案登録請求の範囲
【補正対象項目名】全文
【補正方法】変更
【補正の内容】
【実用新案登録請求の範囲】
【請求項１】
内装内張りの裏側面又は内張りのスライドサンバイザー収納具一式を設置し、取り出し部のみ露出、日除け部は使用しない時は、通常天井内張りに内臓収納され見ることはできない物品である。
不使用時の収納形態は、スライド日除け部をそのまま引き入れて、天井内部へスライドさせて収納する天井収納式スライドサンバイザーの物品である。
スライド日除け材質部に窓ガラスへ向かって反り上げる形状記憶が施されているので、必ず窓ガラスとその底部一辺が密着することになり、安定した任意の防眩効果が得られる。つまり日除けプレート部は、単純にぶら下がった状態で利用するものではない天井収納式スライドサンバイザーの物品である。
当考案は正面ガラスのみならず、フロントサイド・リアサイド、そしてリアガラスそのものへの庶光日除けとして利用できる天井収納式スライドサンバイザーの物品である。
【手続補正２】
【補正対象書類名】明細書
【補正の内容】
0003133090.tif 000008
0003133090.tif 000009
0003133090.tif 000010
0003133090.tif 000011
0003133090.tif 000012
0003133090.tif 000013
【手続補正書】
【提出日】平成19年3月15日(2007.3.15)
【手続補正１】
【補正対象書類名】実用新案登録請求の範囲
【補正対象項目名】全文
【補正方法】変更
【補正の内容】
【実用新案登録請求の範囲】
【請求項１】
自動車のフロントガラス部又はリアガラス部の日除けは自動車天井内張内に設けられた外包部に自在に出し入れが出来る様内張形状にそって押し込んで収納され日除けが必要な分だけ引き出して日除けとして活用することを特徴とする、自動車用天井収納式スライドサンバイザー。
【手続補正２】
【補正対象書類名】明細書
【補正対象項目名】全文
【補正方法】変更
【補正の内容】
【考案の詳細な説明】
【技術分野】
【０００１】      本考案は、自動車天井内張り内に収納できる日除けに関するものである。
【背景技術】
【０００２】      自動車日除けは、その構造上日除け本体の一辺のある部分を支点として固定しそれを中心に一定の範囲内の角度を持って、日除けとしての機能を保っている為、限られた部分的な日除けとしての機能しかなう、またその形状、材質、もほぼ画一的なものであった。
【考案の開示】
【考案が解決しようとする課題】
【０００３】      ある一点を支点として固定してしまうと、そこを中心にした範囲内のみ可動するため機構上、日除け部の面積が限られてしまい入照量をなるべく遮断する目的上、出来るだけ大きめの面積を確保したい反面、操作を容易に、する必要上、日除け面積を小さくしなければならなかった、従って大面積で、かつ扱い易いこの二つの要素を兼ね備えることにより、問題点を解決しようとするものである。
【課題を解決するための手段】
【０００４】  本考案の日除け覆い部は通常不必要時、その一辺の日除け覆い出し入れハンドルを残して、自動車内装内張り内に収納してしまい、必要時は逆に日除け覆い出し入れハンドルを摘んで、収納状態より引き出すことにより、日除け効果が自在に確保でき、問題点を解決している。
【考案の効果】
【０００５】  不必要な突起物が運転者頭上の天井に無いことは、大きな視界が確保出来、万一時の安全性向上にも供与できる、さらに最近のフロント第一ピラー傾斜角の大きいデザインでも、十分な，前頭部空間か確保され、必要量分だけの日除け操作が容易に出来る、通常運転時の日除けとしての用途は勿論、日除け覆い部を最大限広げることにより仮眠中や長時間駐車中の外光遮断機能も合わせ持つ、当考案は、従来型サンバイザーが不可透光硬質塩化ビニール材であるのに対して、例えば半透明カラーアクリル等、用途、柄、色彩等々、好みにより、多種多様の材質か利用可能である、なお車両製造元に於いては従来品の日除け自体の大幅なコスト削減が図れる。
【考案を実施するための最良の形態】
【０００６】  当考案の日除け覆い部は引き出された状態では、自動車フロントガラス内面に沿って密着する様に，反りの反復力が加えられているため、走行中の振動で日除け覆い部とフロントガラス間で、きしみ音等の異音を発する事は無い、又日除け覆い出し入れハンドルには軟質ゴムで覆われていて、異音対策としての施しをしている。
【実施例】
【０００７】      以下、添付図面に従って一実施例を説明する。日除け覆い部５は厚紙等を硬化プラスチック皮膜加工を施して一体化形成された、日除け覆い部５を同じく同材質の外包上蓋１，外包下蓋８の中に挟みこんだ状態で自動車内装材の内側に外包下蓋固定アーム部９を介して固定、日除け覆い出し入れハンドル、６のみ露出し日照をさえぎる場合は日除け覆い出し入れハンドル６を適度に引き出し任意の対照効果が得られ日除け不要時は日除け覆い出し入れハンドル５を内装内部へ押し戻す、過度に日除け覆う部５を引き出し過ぎて破損しない様、に日除け覆い部５の奥先端に、日除け過出防止留め部７が設けられている。【０００８】  通常、日除け覆い部５は自動車天井内張り内に収められているので、運転席頭部上には障害物が全く無い広い空間が得られ、日除け覆い部５の内側又は、室内側にカード等を保管するポケットを設けることにより、外部から見えないので、防犯上効果的である。【０００９】  本考案の一実施例は上述の如き構成からなるもので、日常の単なる日除け機能は勿論もこと、日除け覆い部５を深く広く引き出すことによりフロント部及びリア部ガラス面をほぼ覆い尽くし、長時間の日除け対策にも効果的である。
【図面の簡単な説明】
【００１０】
【図１】本考案の自動車用天井収納式スライドサンバイザーの平面図、側面図である。
【図２】本スライドサンバイザーの分解立体図を示す。
【図３】本スライドサンバイザーの実施後の日除け覆い部５を引き出した切断断面図である。
【図４】本スライドサンバイザーの実施後の日除け覆い部５を収納した切断断面図である。
【符号の説明】
【００１１】１外包上蓋２外包固定アーム部３外包固定アーム部ビス穴４外包固定アーム部固定ビス５日除け覆い部６日除け覆い出し入れハンドル７日除け過出防止留め部８外包下蓋９外包下蓋固定アーム部
【手続補正３】
【補正対象書類名】図面
【補正対象項目名】全図
【補正方法】変更
【補正の内容】
【図１】
0003133090.tif 000014
【図２】
0003133090.tif 000015
【図３】
0003133090.tif 000016
【図４】
0003133090.tif 000017